(57)【特許請求の範囲】
【請求項１】
データ情報を表示する表示部と、
前記表示部へ接触することにより入力を行う接触入力部と、
前記接触入力部での入力のうち、少なくとも３つ以上の同時入力の接触点を検知する接触検知部と、
少なくとも接触点の数に応じて異なる処理を行う処理部と、
を有し、
前記処理部は、前記同時入力の接触点から移動された後の全ての接触点が所定範囲内であることを前記接触検知部が検知した場合、前記表示部に表示されている前記データ情報を削除するよう構成される、
ことを特徴とする携帯端末。
【発明の詳細な説明】
【技術分野】
【０００１】
本発明は、携帯電話等の携帯端末に係り、特にタッチパネルを備えた携帯端末に関する。
【背景技術】
【０００２】
従来、携帯電話機やＰＤＡ（Personal Digital Assistant）などの携帯端末において、その表示部にタッチパネルを搭載したものが知られている。このようなタッチパネルは、圧力変化や静電容量変化によって形成されるタッチセンサと表示部とを組み合わせており、例えば操作を要求するメニュー画面においてメニュー項目が表示された画面を直接タッチすることによって、タッチされた位置に該当する項目が選択されるようになっている。また、ユーザがタッチパネル上において指やタッチペンなどの物体を移動させ、物体の移動に合わせてスクロールする方法も知られている。
【０００３】
携帯端末に搭載されている静電方式のタッチパネルでは、現在２点までの同時認識しかできないが、デバイスでは３点以上の同時認識が可能である技術が開発されている。３点以上の同時認識が可能であるタッチパネルを搭載した携帯端末が実用化されると、従来の携帯端末よりも操作性や用途が更に広がると考えられる。
【０００４】
特許文献１には、車載用情報端末において、目視による確認を要しないＵＩ操作において、タッチパネルに複数の同時タッチ等のタッチアクションによる入力から、指示情報の内容を識別する技術が開示されている。
【先行技術文献】
【特許文献】
【０００５】
【特許文献１】特開２００５−０８２０８６号公報
【発明の概要】
【発明が解決しようとする課題】
【０００６】
しかしながら、３点以上の同時認識が可能であるタッチパネルについて、ユーザの操作に対応する携帯端末の処理の仕様がまだ決定されていない。そのため、３点以上の同時認識が可能となっても、現状ではユーザ操作に対応する処理が一律でなく、使い勝手がよくない状況である。
【０００７】
本発明はこのような点を考慮してなされたもので、複数点を同時検知するタッチパネルで、操作に対応する所定の処理を行うことができる携帯端末を提供することを目的とする。
【課題を解決するための手段】
【０００８】
本発明に係る携帯端末は、データ情報を表示する表示部と、前記表示部へ接触することにより入力を行う接触入力部と、前記接触入力部での入力のうち、少なくとも１つ以上の同時入力の接触点を検知する接触検知部と、前記接触検知部で検知した同時入力の接触点の数を取得する取得部と、少なくとも接触点の数に応じて異なる処理を行う処理部と、を有し、前記処理部は、前記少なくとも１つ以上の同時入力の接触点が一方向に移動されたことを前記接触検知部が検知した場合、前記表示部に表示されているデータ情報を、前記取得部で取得した前記同時入力の接触点の数に応じた移動量で表示移動するよう構成される、ことを特徴とする。
【０００９】
また本発明に係る携帯端末は、データ情報を表示する表示部と、前記表示部へ接触することにより入力を行う接触入力部と、前記接触入力部での入力のうち、少なくとも３つ以上の同時入力の接触点を検知する接触検知部と、少なくとも接触点の数に応じて異なる処理を行う処理部と、を有し、前記処理部は、前記同時入力の接触点から移動された後の全ての接触点が所定範囲内であることを前記接触検知部が検知した場合、前記表示部に表示されている前記データ情報を削除するよう構成される、ことを特徴とする。
【００１０】
また本発明に係る携帯端末は、データ情報を表示する表示部と、前記表示部へ接触することにより入力を行う接触入力部と、前記接触入力部での入力のうち、少なくとも３つ以上の同時入力の接触点を検知する接触検知部と、少なくとも接触点の数に応じて異なる処理を行う処理部と、を有し、前記処理部は、前記同時入力の接触点から接触を離れたことを前記接触検知部が検知した場合、前記表示部に表示されている前記データ情報を、前記接触点を結んだ形に切り取るよう構成され、前記同時入力の接触点のうち少なくとも１つの接触点が任意の方向に移動し、移動された後の全ての接触点が所定範囲外であることを前記接触検知部が検知した場合、前記少なくとも１つの接触点における、前記表示部に表示されている前記データ情報を、前記任意の方向に応じて変形するよう構成される、ことを特徴とする。
【００１１】
また本発明に係る携帯端末は、待受画面を表示する表示部と、前記表示部へ接触することにより入力を行う接触入力部と、前記接触入力部での入力のうち、少なくとも３つ以上の同時入力の接触点を検知する接触検知部と、前記接触検知部で検知した前記少なくとも３つ以上の同時入力の接触点の数を取得する取得部と、前記取得部で取得した前記同時入力の接触点の数と対応するアプリケーションを格納する記憶部と、少なくとも接触点の数に応じて異なる処理を行う処理部と、を有し、前記処理部は、前記接触検知部で少なくとも３つ以上の同時入力の接触点を検知した場合、前記取得部で取得した前記同時入力の接触点の数に対応する、前記記憶部に格納されたアプリケーションを起動するよう構成される、ことを特徴とする。
【００１２】
また本発明に係る携帯端末は、暗証番号入力画面を表示する表示部と、前記表示部へ接触することにより入力を行う接触入力部と、前記接触入力部での入力のうち、少なくとも１つ以上の同時入力の接触点を検知する接触検知部と、前記接触検知部で検知した前記少なくとも１つ以上の同時入力の接触点の数を取得する取得部と、少なくとも接触点の数に応じて異なる処理を行う処理部と、を有し、前記処理部は、前記取得部で取得した前記同時入力の接触点の数を数字として認識するよう構成されることを特徴とする。
【００１３】
また本発明に係る携帯端末は、情報を表示する表示部と、前記表示部へ接触することにより入力を行う接触入力部と、前記接触入力部での入力のうち、少なくとも３つ以上の同時入力の接触点を検知する接触検知部と、少なくとも接触点の数に応じて異なる処理を行う処理部と、を有し、前記処理部は、前記少なくとも３つ以上の同時入力の接触点全てが一方向に移動したことを前記接触検知部が検知した場合、前記表示部に表示されている情報を移動方向に合わせてスクロールするよう構成される、ことを特徴とする。
【発明の効果】
【００１４】
本発明に係る携帯端末によれば、複数点を同時検知するタッチパネルで、操作に対応する所定の処理を行うことができる。
【図面の簡単な説明】
【００１５】
【図１】本発明の一実施形態に係る携帯端末の外観図。
【図２】同上の実施形態に係る携帯端末の概略構成を示すブロック図。
【図３】同上の実施形態における、表示移動機能の動作を示すフローチャート。
【図４】表示移動機能における画像データファイルの表示移動の例を示す図。
【図５】表示移動機能における表示画面のページ送り例を示す図であり、（Ａ）１点をタッチした場合の表示、（Ｂ）３点同時にタッチした場合の表示、を示す図。
【図６】同上の実施形態におけるファイル削除機能およびファイル加工機能の動作を示すフローチャート。
【図７】ファイル削除機能におけるデータファイルの削除の例であり、（Ａ）画像が表示されている場合でのデータファイルの削除、（Ｂ）複数のファイルのアイコンが表示されている場合での複数のデータファイルの削除、を示す図。
【図８】ファイル加工機能における画像データファイルの表示の例であり、（Ａ）画像の切り取り表示、（Ｂ）画像の変形表示、を示す図。
【図９】同上の実施形態におけるアプリケーションのショートカット機能の動作を示すフローチャート。
【図１０】アプリケーションのショートカット機能における表示の例を示す図。
【図１１】同上の実施形態における暗証番号入力機能の表示の例を示す図。
【図１２】同上の実施形態における画面スクロール機能の表示の例を示す図。
【発明を実施するための形態】
【００１６】
以下、本発明の実施形態を添付図面に基づいて説明する。
【００１７】
図１は、本発明に係る携帯端末を適用した携帯電話機１の実施形態を示す外観斜視図であり、操作面である正面である。
【００１８】
携帯電話機１は、矩形の板状の筐体１１を備える。この筐体１１の一方の正面（図１）には、タッチパネル１４が大部分を占めて構成される。
【００１９】
このタッチパネル１４は、表示および入力の双方の機能を備える。タッチパネル１４は、ディスプレイ（図２のディスプレイ３５）と、上面に複数配置された接触動作を検出するための素子およびさらにその上に積層された透明な操作面（図２のタッチセンサ３３）で構成される。
【００２０】
ディスプレイ（表示部）としてのタッチパネル１４は、文字や画像などからなる表示画面を表示する領域を備える。このディスプレイは、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイで構成される。
【００２１】
タッチセンサ（入力部）としてのタッチパネル１４は、操作面に対して接触する接触物（ユーザの指）の動作を検知することにより指示を受け付ける。本実施形態における接触物の動作を検知する方法は、静電気による電気信号を感知する静電方式を適用している。接触物の動作は、接触点の位置を示す座標情報、および複数の接触点間の距離情報で検出される。座標情報は、例えばタッチパネル１４の短辺方向および長手方向の二軸上の座標値で表わされる。
【００２２】
タッチパネル１４のある操作面には、筐体１１の長手方向における対向位置に、音声を入力するためのマイクロフォン１６と、音声を出力するためのスピーカ１５とがそれぞれ配置される。
【００２３】
図２は、本実施形態における携帯電話機１の主な機能構成を示す概略的な機能ブロック図である。携帯電話機１は、主制御部３０、電源回路部３１、入力制御部３２、表示制御部３４、音声制御部３６、無線通信部３７、情報記憶媒体３８、記憶部３９がバスによって相互に通信可能に接続されて構成されている。
【００２４】
電源回路部３１は、電力供給源（バッテリ等）を備え、所定の操作キーを介した入力に基づいて携帯電話機１の電源のＯＮ／ＯＦＦ状態を切り替える。電源回路部３１は、電源がＯＮ状態の場合に電力供給源から各部に対して電力を供給して、携帯電話機１を動作可能にする。
【００２５】
入力制御部３２はタッチセンサ３３に対する入力インタフェースを備える。入力制御部３２は、タッチセンサ３３で検知した複数点の接触検知信号より、接触点の座標情報および複数の接触点間の距離情報を生成し、主制御部３０に伝送する。
【００２６】
表示制御部３４はディスプレイ３５に対する表示インタフェースを備える。表示制御部３４は、主制御部３０の制御に基づいて、文書データや画像等をディスプレイ３５に表示させる。
【００２７】
音声制御部３６は、主制御部３０の制御に基づいて、マイクロフォン１６で集音されたアナログ音声信号をデジタル音声信号に変換する。また音声制御部３６は、デジタル音声信号を取得すると、主制御部３０の制御に基づいて、このデジタル音声信号をアナログ音声信号に変換し、スピーカ１５から音声として出力する。
【００２８】
無線通信部３７は、主制御部３０の制御に基づいて、基地局からアンテナ３７ａを介して受信した受信信号を処理してデータを復元する。このデータは、主制御部３０の指示により、音声制御部３６に伝送されてスピーカ１５から出力されたり、表示制御部３４に伝送されてディスプレイ３５に表示されたり、または記憶部３９に記録されたりする。また無線通信部３７は、主制御部３０の制御に基づいて、音声制御部３６にてデジタル音声信号に変換した音声データやタッチセンサ３３で検知した入力データや記憶部３９に記憶されたデータを取得すると、これらのデータの処理を行い、基地局に対してアンテナ３７ａを介して送信する。
【００２９】
情報記憶媒体３８（コンピュータにより読み取り可能な媒体）は、プログラムやデータなどを格納するものであり、その機能は、ハードディスク、或いはメモリ（Ｆｌａｓｈ Ｍｅｍｏｒｙ、ＲＯＭ：Ｒｅａｄ  Ｏｎｌｙ  Ｍｅｍｏｒｙ）などにより実現できる。情報記憶媒体３８は、本実施形態の各部としてコンピュータを機能させるためのプログラム（各部の処理をコンピュータに実行させるためのプログラム）、複数のアプリケーション等が記憶される。
【００３０】
主制御部３０は、ＣＰＵ（Ｃｅｎｔｒａｌ  Ｐｒｏｃｅｓｓｉｎｇ  Ｕｎｉｔ）を具備する。主制御部３０は、情報処理媒体３８に記憶された各種プログラムに基づき動作して、携帯電話機１の総括的な制御を行う。
【００３１】
記憶部３９は、主制御部３０や無線通信部３７などのワーク領域となるもので、その機能はＲＡＭ（Ｒａｎｄｏｍ  Ａｃｃｅｓｓ  Ｍｅｍｏｒｙ）などにより実現できる。また記憶部３９は、待受時にタッチパネル１４へ接触した接触点の数と対応する起動アプリケーションを格納している。
【００３２】
次に、上記構成の携帯電話機１における動作の一例について以下説明する。本実施形態では、タッチパネル１４への操作はユーザの指で行われることを想定しているため、まずタッチパネル１４の操作面に対するユーザの指の操作の一例を説明する。
【００３３】
タッチセンサ３３が検出するユーザの指の操作には、「タッチ操作」、「リリース操作」、「スライド操作」、「フリック操作」がある。「タッチ操作」は、タッチパネル１４の操作面がユーザの指により接触された場合に検出される操作である。「リリース操作」は、タッチ操作により接触された指が操作面より離れた場合に検出される操作である。「スライド操作」は、タッチ操作が行われた後、ユーザの指により操作面に対する接触が維持された状態で、所定速度以下で移動された場合に検出される操作である。「フリック操作」は、タッチ操作が行われた後、ユーザの指により操作面に対する接触が維持された状態で、所定速度以上でほぼ一方向に移動され、かつリリース操作が検出された場合の操作である。
【００３４】
＜１．表示移動機能＞
タッチパネル１４に表示されているデータファイルから、他のデータファイルに表示を移動する表示移動機能の動作の一例について、図３のフローチャートおよび図４、図５の表示例を参照して説明する。
【００３５】
図３は、文書ファイルやＷｅｂページのように１画面に収まらないようなデータが表示される場合に、タッチパネル１４への入力に応じて表示移動を行う場合の処理について示したフローチャートである。
【００３６】
タッチパネル１４に文書ファイルやＷｅｂページのように１画面に収まらないようなデータが表示されている場合に（ステップＳ１０１）、ユーザの指がタッチパネル１４の操作面を接触して一方向(例えば左から右)にフリック操作したとする。タッチセンサ３３はユーザの指からのフリック操作を検知し、同時にタッチされた接触点（指）の数Ｎを取得して（ステップＳ１０３）、入力制御部３２を介して主制御部３０に送る。ここで、同時にタッチされる接触点の数Ｎは、Ｎ＝１〜５とする。これは、携帯電話機１に搭載される小型のタッチパネル１４では一度に多くの指を接触することができないこと、また片方の手で携帯電話機を持ち、もう片方の手で操作を行うことを想定しているためである。
【００３７】
ユーザはＮ本の指でフリック操作を行っている（ステップＳ１０５で「Ｙｅｓ」）。主制御部３０は、タッチパネル１４に表示されているページからＮページ移動したデータファイルの情報を表示する。なお、Ｗｅｂページのようにスクロールによって表示可能な範囲が区切られていない場合には、現在表示されている画面表示からＮ画面分移動した情報を表示しても良い。または、ファイルのページ送りや画面送りのスピードをＮ倍にしてもよい（ステップＳ１０７）。フリック操作を行っていない場合は（ステップＳ１０５で「Ｎｏ」）、フリック操作以外の対応する他の処理に移る（ステップＳ１０９）。
【００３８】
タッチパネル１４に文書ファイルが表示されている場合の表示例を図５に示す。タッチパネル１４には、文書ファイルに含まれるデータが「Ａ」から順に上から下へ、タッチパネル１４への表示範囲内に表示されている。図５（Ａ）でユーザが１本の指で上から下へフリック操作すると、例えば５行下の表示に移動する。それに対して、図５（Ｂ）でユーザが３本の指で同時に上から下へフリック操作を行うと、表示が３倍のスピードで早送りされ、例えば１５行下の表示（図５（Ｂ）では文書ファイルに含まれるデータが「Ｉ」からの表示）に移動する。もしくは、３本の指でフリック操作を行うと、３ページ下の情報を表示しても良い。
【００３９】
なお、表示移動機能は、文書ファイルやＷｅｂファイルが表示されている場合以外にも適用することができる。
【００４０】
複数のファイルが１つのフォルダに格納されている場合に、フォルダに含まれるファイルの１つをタッチパネル１４に表示させている状態で、主制御部３０がタッチパネル１４からフリック操作の検出を通知されると、通知されたフリック操作の操作指本数に応じて異なるファイルを表示するように制御しても良い。この制御について、図４に示すタッチパネル１４に画像のデータファイルが表示されている場合の表示例を用いて説明する。フォルダに含まれる１つの画像ファイルがタッチパネル１４に表示されているときに、タッチパネル１４が１本の指を用いたフリック操作を検出すると、１ファイル分移動した画像ファイルを表示する。それに対して、タッチパネル１４が３本の指を用いたフリック操作を検出すると、図４に示すように３ファイル分移動した画像ファイルを表示する。
【００４１】
また、ファイル名の一覧やファイルのアイコンの一覧が表示されているときに、あるファイルが選択されている（ファイルにカーソルが合わされている）状態で、主制御部３０がタッチパネル１４からフリック操作の検出を通知されると、通知されたフリック操作の操作指本数に応じて異なるファイルを選択するように制御しても良い。
【００４２】
＜２．ファイル削除機能＞
タッチパネル１４に表示されているデータファイルを削除する動作の一例について、図６のフローチャートおよび図７の表示例を参照して説明する。
【００４３】
図３のステップＳ１０９において、同時にタッチされた接触点の数Ｎが３以上の場合（ステップＳ２０１で「Ｙｅｓ」）、タッチセンサ３３はユーザの指によるスライド操作があるかを検知する（ステップＳ２０３）。スライド操作があり（ステップＳ２０３で「Ｙｅｓ」）、スライド操作後のユーザの指の接触点が全て所定範囲内にある場合（ステップＳ２０５で「Ｙｅｓ」）、タッチセンサ３３がユーザの指によるリリース操作を検知すると（ステップＳ２０７で「Ｙｅｓ」）、主制御部３０は現在表示されているファイルを削除する（ステップＳ２０９）。つまりユーザの指は、図７（Ａ）の表示例に示すように、タッチパネル１４を３本以上の指で接触し、指を寄せて離す動作、つまり紙を丸めて捨てるような動作を行っている。なお、図７（Ａ）の表示例では、画像が表示されている状態で、図６のフローチャートにしたがって指を寄せて離す動作を検出した場合について説明したが、複数のファイルのファイル名一覧が表示されている場合や複数のファイルのアイコンが表示されているときに、複数本の指でエリアを指定し、そのエリアに表示されているファイル名やアイコンに対応するファイルを指を寄せて離す動作によって一括して削除しても良い。図７（Ｂ）に、複数のファイルのアイコンが表示されている場合について示す。図７（Ｂ）では、４本の指で４つのファイルを囲むように接触し、指を寄せて離すと、囲まれた４つのファイルが一括削除される。
【００４４】
＜３．ファイル加工機能＞
タッチパネル１４に表示されている画像や写真等のデータファイルを加工する動作の一例として、図６のフローチャートおよび図８の表示例を参照して説明する。
【００４５】
まず、ファイルの表示の一部を切り取る機能について述べる。Ｎが３以上の場合に、タッチセンサ３３がユーザの指によるタッチ操作を検知したがスライド操作を検知せず（ステップＳ２０３で「Ｎｏ」）、次にユーザの指が離れてタッチセンサ３３がリリース操作を検知すると（ステップＳ２１１で「Ｙｅｓ」）、主制御部３０は、表示されている画像や写真を、接触点を頂点として直線で結んだ形に切り取る（ステップＳ２１３）。
【００４６】
この表示例を図８（Ａ）に示す。画像が表示されているタッチパネル１４にユーザの指が３本同時に接触して離すと、接触点を頂点とした三角形を形成し、三角形内の画像のみを切り取って表示する。
【００４７】
次に、ファイルの表示の一部を変形する機能について述べる。Ｎが３以上の場合にタッチセンサ３３が少なくとも１つの接触点のスライド操作を検知し（ステップＳ２０３で「Ｙｅｓ」）、スライド操作後の接触点が所定範囲内から外れている場合（ステップＳ２０５で「Ｎｏ」）、主制御部３０は、接触点における、タッチパネル１４に表示された画像や写真をユーザの指のスライド操作に応じて変形する（ステップＳ２１７）。
【００４８】
この表示例を図８（Ｂ）に示す。画像が表示されているタッチパネル１４にユーザの指が３本同時に接触し、右側の指１本のみ右にスライドすると、接触した部分の画像がスライドした指に沿って右方向に変形する。
【００４９】
ファイル削除機能、ファイル加工機能でＮが２以下である場合（ステップＳ２０１で「Ｎｏ」）、既に使用されている、ユーザの１本指や２本指の操作に対応する処理を行う（ステップＳ２０２）。
【００５０】
＜４．ショートカット機能＞
携帯電話機１の待受時に、３点以上の同時タッチ操作を行うことによるアプリケーションのショートカット（一発起動）機能の一例について、図９のフローチャートおよび図１０の表示例を参照して説明する。
【００５１】
記憶部３９にはあらかじめ、待受時における、タッチパネル１４へ接触した点の数に対応した起動アプリケーションが登録されている。携帯電話機１が待受状態において（ステップＳ３０１）、タッチセンサ３３はユーザの指によるタッチ操作を検知し、同時にタッチされた接触点（指）の数Ｎを取得して（ステップＳ３０３）、入力制御部３２を介して主制御部３０に送る。Ｎが３以上の場合（ステップＳ３０５で「Ｙｅｓ」）、主制御部３０は記憶部３９にあらかじめ設定された、接触点の数Ｎに対応するアプリケーションを起動する（ステップＳ３０７）。
【００５２】
本実施形態では同時にタッチされる接触点の数Ｎを３以上としている。これは、Ｎ＝１の場合では単なる画面上の項目選択、Ｎ＝２の場合ではディスプレイ３５への誤接触が考えられるためである。ユーザの指が３本以上（Ｎが３以上）同時に接触した場合、主制御部３０はショートカット機能を意識してディスプレイ３５を操作しているとして処理を行う。
【００５３】
アプリケーションのショートカット機能の表示例を図１０に示す。図１０（Ａ）では、３点同時にタッチ操作を行うと、メール作成画面が起動される。図１０（Ｂ）では、４点同時にタッチ操作を行うと、Ｗｅｂ閲覧画面が起動される。なお、記憶部３９には、接触点数と対応するアプリケーションを、ユーザ自身で所望のアプリケーション（例えばアドレス帳等）に登録することが可能である。
【００５４】
＜５．暗証番号機能＞
暗証番号を入力して携帯電話機１の種々のロックを解除する際、タッチパネル１４へ同時タッチした接触点の数で暗証番号を入力する機能について、図１１の表示例を参照して説明する。
【００５５】
タッチパネル１４には暗証番号入力画面が表示されており、暗証番号を「４３２１」とする。まずユーザの指によりタッチパネル１４を４点同時にタッチすると、タッチセンサ３３は同時に４点のタッチ操作を検知し、入力制御部３２を介して主制御部３０に送る。主制御部３０は、同時に接触した４点を数字の「４」として認識する。以下同様にタッチ操作を行って、「３」、「２」、「１」を認識し、ロックを解除する。この場合の暗証番号は、接触が必要であるため「０」は使用できない。また、先に表示移動機能の説明で述べた理由により、暗証番号は１から５までの数字の組み合わせとなる。
【００５６】
＜６．画面スクロール機能＞
携帯電話機１でＷｅｂ閲覧画面を表示しユーザが閲覧している際、１本の指による接触でスクロールを行うと、ショートカットの誤動作を生じるおそれがある。そこで、スクロール動作は接触点が３点以上ある場合のみ認識する。図１２に表示例を示す。ユーザの指が３点同時にタッチされ、上下または左右にスライド操作が行われると、タッチセンサ３３はユーザの指からのスライド操作を検知し、同時にタッチされた接触点の数Ｎを取得して、主制御部３０に送る。Ｎが３以上の場合、主制御部３０は上下または左右のスクロール動作として認識し、スクロール動作に合わせて画面表示を移動する。
【００５７】
以上本発明は、タッチパネルに少なくとも３点以上の同時タッチ操作が行われた際に、ユーザの操作によって画面に表示されているファイルを高速移動したり、ファイルを変形したりすることで、１点や２点の同時タッチ操作と比べて様々な処理を行う事が可能である。
【００５８】
以上、本発明の実施形態について図面を参照して詳述してきたが、具体的な構成はこの実施形態に限られるものではなく、本発明の要旨を逸脱しない範囲の設計変更等も含まれる。
【００５９】
なお、タッチパネル１４に鍵盤を表示し、鍵盤に合わせて３点以上タッチ操作を行うと、３つ以上の音が出力されるような構成としてもよい。
【００６０】
また、例えば、上記実施形態における携帯電話機の代わりに、無線通信機能を備えた携帯型パーソナル・コンピュータ又はＰＤＡ（Personal Digital Assistance）、携帯音楽プレイヤー、携帯ビデオカメラ、携帯ゲーム機等に本発明を適用してもよい。
【符号の説明】
【００６１】
１…携帯電話機、１１…筐体、１４…タッチパネル、１５…スピーカ、１６…マイクロフォン、３０…主制御部、３１…電源回路部、３２…入力制御部、３３…タッチセンサ、３４…表示制御部、３５…ディスプレイ、３６…音声制御部、３７…無線通信部、３８…情報記憶媒体、３９…記憶部。
【図１】
0005515835.tif 000002
【図２】
0005515835.tif 000003
【図３】
0005515835.tif 000004
【図４】
0005515835.tif 000005
【図５】
0005515835.tif 000006
【図６】
0005515835.tif 000007
【図７】
0005515835.tif 000008
【図８】
0005515835.tif 000009
【図９】
0005515835.tif 000010
【図１０】
0005515835.tif 000011
【図１１】
0005515835.tif 000012
【図１２】
0005515835.tif 000013